(57)【要約】【課題】発熱手段を備えて温度を上昇でき、且つ木炭粉末を用いるものであり、容易に製造できる構成のマットレスを形成すること。【解決手段】木炭粉末と、樹脂、水ガラスまたはセメントのいずれかから選ばれるバインダー材とを混合して形成した成型体の内部に発熱手段を配設することで、容易に製造できる構成のマットレスが得られる。【選択図】図１
0003132609.tif 000002
【実用新案登録請求の範囲】
【請求項１】
木炭粉末と、バインダー材とを混合して形成した成型体の内部に発熱手段を配設したこと
を特徴とするマットレス。
【請求項２】
木炭粉末及び無機骨材と、樹脂、水ガラスまたはセメントのいずれかとを混合して形成した成型体の内部に発熱手段を配設したこと
を特徴とするマットレス。
【請求項３】
木炭粉末及び無機骨材と、樹脂、水ガラスまたはセメントのいずれかとを混合して形成した成型体の内部に発熱手段を配設したマットレスを室内に備え、
該室内の温度及び湿度を調整できる構成にしたこと
を特徴とする温湿度調整室。
【考案の詳細な説明】
【技術分野】
【０００１】
本考案は、遠赤外線が放射されて使用者の体温を上昇させる効果を有するマットレスと、該マットレスを備えた温湿度調整室とに関するものである。
【背景技術】
【０００２】
従来、この種の技術としては、例えば、翡翠輝石の粉末を含むと共に、遠赤外線を放射し得る木炭の粉末を含み、さらに電源より電力が供給された際に熱エネルギーを放射し得る熱エネルギー放射手段を有するマットレスがある（特許文献１参照）。
【０００３】
また、遠赤外線を放射する炭素、備長炭、竹炭、及び天然セラミックスからなる遠赤外線放射材層と、前記遠赤外線放射材層を収納する収納部と、前記収納部に設けられ少なくとも前記遠赤外線放射材層を加熱するヒータと、前記収納部の上部に設けられ、遠赤外線を透過し、かつ身体を支持する支持部材と、を有することを特徴とする遠赤外線放射ベッドがある（特許文献２参照）。
【０００４】
【特許文献１】特開２００２−６５４０４号公報
【特許文献２】特開２００３−２４５３６６号公報
【考案の開示】
【考案が解決しようとする課題】
【０００５】
しかしながら、これら特許文献１及び特許文献２の公知技術においては、製造することが容易でないことから、より簡単な構成で容易に製造できるものが求められる。
【０００６】
従って、発熱手段を備えて温度を上昇でき、且つ木炭粉末を用いるものであり、容易に製造できる構成のマットレスを形成するということに解決しなければならない課題を有している。
【課題を解決するための手段】
【０００７】
上記した従来例の課題を解決する具体的手段として本考案に係るマットレスは、木炭粉末と、樹脂、水ガラスまたはセメントのいずれかから選ばれるバインダー材とを混合して形成した成型体の内部に発熱手段を配設したことを特徴とするものであり、また、温湿度調整室は、木炭粉末及び無機骨材と、樹脂、水ガラスまたはセメントのいずれかとを混合して形成した成型体の内部に発熱手段を配設したマットレスを室内に備え、該室内の温度及び湿度を調整できる構成にしたことを特徴とするものである。
【考案の効果】
【０００８】
本考案に係るマットレスは、木炭粉末と、樹脂、水ガラスまたはセメントのいずれかから選ばれるバインダー材とを混合して形成した成型体の内部に発熱手段を配設したことにより、製造が容易であり、これを使用する使用者の体温を上昇させることができると共に、遠赤外線の効果も付与することができ、更に、消臭効果を有するものであり、また、このマットレスを室内に備えた温湿度調整室は、該室内の温度及び湿度を調整できるため、サウナ効果も付与できるようになるという優れた効果を奏する。
【考案を実施するための最良の形態】
【０００９】
本考案は、木炭粉末及び無機骨材と、樹脂、水ガラスまたはセメントのいずれかから選ばれるバインダー材とを混合して形成した成型体の内部に発熱手段を配設したマットレスであり、更には、該マットレスを備えると共に、温度及び湿度を調整できる構成にした温湿度調整室にするものである。
【実施例１】
【００１０】
次に、本考案を具体的な実施例に基づいて詳しく説明する。
この実施例１においては、例えば、ベッド１等に敷いて使用することができるマットレス２について図１乃至図３を用いて説明する。ベッド１は、二段ベッド形式のものであって、上段部３は通常のベッドとして使用できるものであり、下段部４は周囲が壁面によって覆われたカプセル（個室）形式として使用できるものである。
【００１１】
この下段部４には、例えば、使用者がカプセル内に出入りするための扉４ａや、図示していない窓や、換気口等が設けられており、使用者が下段部４のカプセル内を使用（就寝等を含む）する際に、快適に過ごすことができるようになっている。
【００１２】
この下段部４のカプセル内には、マットレス２が敷かれており、使用者は通常のベッドと同様に、カプセル内でマットレス２上に横たわって該マットレス２を使用するようになっている。
【００１３】
このマットレス２は、木炭粉末５ａと、バインダー材５ｂとを混合してマットレス形状に形成された成型体５であり、その内部には、例えば、電熱線等からなる発熱手段５ｃが配設されている。この発熱手段５ｃには、電気コード５ｄが接続されており、該電気コード５ｄを介して発熱手段５ｃに電源を供給できるようになっている。
【００１４】
前記バインダー材５ｂとしては、例えば、樹脂、水ガラスまたはセメントのいずれかを使用することができる。また、前記バインダー材５ｂとして、樹脂、水ガラスまたはセメントのいずれかを使用する場合には、木炭粉末５ａの他、図示はしていないが無機骨材を混合させる、即ち、木炭粉末５ａ及び無機骨材と、樹脂、水ガラスまたはセメントのいずれかとを混合して成型体５を形成するものである。なお、前記樹脂としては、例えば、ナイロン、シリコン、不飽和ポリエステル、エポキシ樹脂、ＰＥ、ＰＰ、ＰＥＴ等の有機バインダー材を使用すれば良い。
【００１５】
前記成型体５は、シート状乃至板状等のマットレス形状に形成されているものであるが、その硬度については、使用の目的に応じて、ゴム弾性を有する軟質または硬質等に適宜調整すれば良い。
【００１６】
このマットレス２は、例えば、所定の型枠内に予め発熱手段５ｃを配設させておき、木炭粉末５ａと溶解したバインダー材５ｂとを混合して前記型枠内に流し込み、該溶解したバインダー材５ｂを凝固させて成型体５を形成することによって容易に製造することができるのである。
【００１７】
使用者は、ベッド１の下段部４に設けられたカプセル内に入り、マットレス２上に横たわって使用状態になる。この状態で、電気コード５ｄから発熱手段５ｃに電源を供給し、該発熱手段５ｃを加熱する。
【００１８】
発熱手段５ｃから発熱する熱エネルギーにより、成型体５（マットレス２）の温度が上昇し、使用者の体温を上昇させることができるようになる。この際、成型体５には木炭粉末５ａが含まれていることから、該木炭粉末５ａが遠赤外線を放射することで、使用者はこの遠赤外線の効果も享受することができ、体内の深部から体温が上昇するようになるのである。
【００１９】
また、成型体５に含まれる木炭粉末５ａ（木炭）は、消臭の作用も有していることから、カプセル内の臭いを吸着し、消臭することができる。
【００２０】
カプセル内は、換気口を除いてほぼ外部と遮断された空間にすることが好ましく、これにより木炭粉末５ａ（木炭）の作用を有効に享受できるようになるのである。
【００２１】
また、カプセルの内部には、防水加工を施しておくことが好ましい。このカプセルにおいては、骨組み素材として防錆処理を施したスチールまたはポリを使用し、外部カバー素材として防水加工を施した木材またはポリを使用すると良い。また、上段のベッドは、通常のベッドと同様に木、スチールまたはポリ素材を使用して形成する。
【実施例２】
【００２２】
この実施例２においては、前記実施例１のマットレス２を備えた温湿度調整室に関する技術であり、マットレス２として前記実施例１のものと同一のものを用いるものであるため、このマットレス２については、前記実施例１と同一の符号を付し、その詳細な説明については省略する。
【００２３】
この実施例２の温湿度調整室６について図４を用いて説明する。温湿度調整室６内には、リクライニングチェアー７が備えられており、該リクライニングチェアー７の着座部乃至背部にマットレス２が配設されている。この温湿度調整室６には、温湿度調整装置８が設けられており、例えば、リクライニングチェアー７等に設けられた図示していないコントローラー等を介して前記温湿度調整装置８を操作することによって、前記温湿度調整室６内の温度及び湿度を調整できるようになっている。
【００２４】
このように、温湿度調整室６内の温度及び湿度を調整できるようにすることによって、使用者はサウナ効果を得ることができると共に、マットレス２を併用することで遠赤外線の効果も得ることができ、血行を良くし、新陳代謝を活発化させることができるようになるのである。
【００２５】
なお、温湿度調整室６内の温度及び湿度としては、温度が略３０〜５０℃程度であり、湿度が５０〜９０％程度に調整することが良い。
【００２６】
温湿度調整室６は、換気口を除いてほぼ外部と遮断された空間にし、温湿度調整室６の内部には、防水加工を施しておくことが好ましい。また、骨組み素材として防錆処理を施したスチールまたはポリを使用し、外部カバー素材として防水加工を施した木材またはポリを使用すると良い。また、上段のベッドは、通常のベッドと同様に木、スチールまたはポリ素材を使用して形成する。
【図面の簡単な説明】
【００２７】
【図１】本考案の第一の実施の形態に係るマットレスを備えたベッドを略示的に示した斜視図である。
【図２】同マットレスを略示的に示した斜視図である。
【図３】同マットレスの要部を拡大し略示的に示した断面図である。
【図４】本考案の第二の実施の形態に係るマットレスを備えた温湿度調整室を略示的に示した概略図である。
【符号の説明】
【００２８】
１  ベッド
２  マットレス
３  上段部
４  下段部
５  成型体
５ａ  木炭粉末
５ｂ  バインダー材
５ｃ  発熱手段
５ｄ  電気コード
６  温湿度調整室
７  リクライニングチェアー
８  温湿度調整装置
【図１】
0003132609.tif 000003
【図２】
0003132609.tif 000004
【図３】
0003132609.tif 000005
【図４】
0003132609.tif 000006